(57)【要約】【課題】フランジ背面に取り付けられる部品の突起をフランジの立ち上がり部の係合孔に容易に挿入することができ、塵埃の侵入を抑制することができる換気扇を提供する。【解決手段】両端が開口した筒状の風洞３ａと、風洞３ａの前面側開口の外周から半径方向に張り出すフランジ部１９と、フランジ部１９の背面側の面に配置され、外方に突出する軸状支持部３１を有する端子台３０と、軸状支持部３１を嵌め合い可能な係合孔２１ａを有し、フランジ部１９の外周から背面側に向かって起立する立ち上がり部２０と、立ち上がり部２０の内面に、係合孔２１ａの両側から立ち上がり部２０の端面に向かって延びる一対の部品組立案内リブ２１ｂとを備えた。【選択図】図３
2014016051.tif 000002
【特許請求の範囲】
【請求項１】
両端が開口した筒状の風洞と、
前記風洞の前面側開口の外周から半径方向に張り出すフランジ部と、
前記フランジ部の背面側の面に配置され、外方に突出する第１突起を有する部品と、
前記第１突起を嵌め合い可能な係合孔を有し、前記フランジ部の外周から背面側に向かって起立する立ち上がり部と、
前記立ち上がり部の内面に、前記係合孔の両側から前記立ち上がり部の端面に向かって延びる一対の案内リブとを備えた
ことを特徴とする換気扇。
【請求項２】
前記係合孔よりも下部における前記立ち上がり部は、前記係合孔よりも上部における前記立ち上がり部よりも前記フランジ部の背面内側に位置するように段形状が形成されている
ことを特徴とする請求項１に記載の換気扇。
【請求項３】
前記立ち上がり部の面のうち前記一対の案内リブの間には、
前記立ち上がり部の端面から前記立ち上がり部の基端部に向かって前記フランジ部の内部側に傾斜する傾斜面が形成されている
ことを特徴とする請求項１又は請求項２に記載の換気扇。
【請求項４】
前記第１突起が設けられる前記部品の面と反対側の面に設けられ、外方に突出する第２突起と、
前記フランジ部の背面に設けられ、前記第２突起が嵌め込まれる嵌め込み部とを備えた
ことを特徴とする請求項１〜請求項３のいずれか一項に記載の換気扇。
【請求項５】
前記第１突起は、円筒状の軸状支持部であり、
前記第２突起は、円筒状の円筒状支持部であり、
前記部品は、回動可能に軸支され、前記フランジ部の背面に収納される端子台であり、
前記嵌め込み部は、前記フランジ部の背面に設けられる円弧状の支持爪である
ことを特徴とする請求項４に記載の換気扇。
【請求項６】
前記第１突起及び前記第２突起は、平板状の突起であり、
前記部品は、前記フランジ部の背面に収納されるケースであり、
前記嵌め込み部は、前記フランジ部の背面に設けられる凹状の固定形状である
ことを特徴とする請求項４に記載の換気扇。
【請求項７】
前記フランジ部の背面に前記部品が固定された状態で、
前記第２突起は、上方への移動が規制されるように覆われる
ことを特徴とする請求項４〜請求項６のいずれか一項に記載の換気扇。
【請求項８】
前記第２突起の上方は、結線部保護カバーで覆われる
ことを特徴とする請求項７に記載の換気扇。
【請求項９】
前記嵌め込み部は、
前記フランジ部の背面に設けられ、前記円筒状支持部の外周の半周より多い範囲を囲む円弧状の引掛支持爪である
ことを特徴とする請求項５に記載の換気扇。
【請求項１０】
前記嵌め込み部は、
前記固定形状の底面と平行に該底面よりも上方に設けられ、前記第２突起が嵌め込まれると前記第２突起の上面と当接する引掛固定形状を備えた
ことを特徴とする請求項６に記載の換気扇。
【請求項１１】
前記第１突起及び前記第２突起の少なくともいずれかの先端部は、Ｒ形状あるいは面取形状である
ことを特徴とする請求項６又は請求項１０に記載の換気扇。
【発明の詳細な説明】
【技術分野】
【０００１】
本発明は、換気扇に関する。
【背景技術】
【０００２】
換気扇のフランジ背面に取り付けられる部品（例えば、端子台の保護ケース）の側面両側に、それぞれ引掛け用の突起が設けられているものがある（例えば、特許文献１）。特許文献１の換気扇では、換気扇本体内側へ向かう突起はフランジ背面に設けられた支持爪に取り付けられ、換気扇本体外側へ向かう突起はフランジの立ち上がり部に設けられた係合孔に挿入されることで、部品はネジ付けされることなくフランジ背面に取り付けられる。
【先行技術文献】
【特許文献】
【０００３】
【特許文献１】特開２００６−２５０４３４号公報（［００１２］、図４、図６）
【発明の概要】
【発明が解決しようとする課題】
【０００４】
特許文献１の換気扇においては、フランジ背面に取り付けられる部品の組立時に、その部品の側面両側に設けてある引掛用の突起のうち、換気扇本体内側へ向かう突起はフランジ背面に設けた支持爪に取り付けられ、換気扇本体外側へ向かう突起はフランジの立ち上がり部に形成されている係合孔へ挿入される。しかしながら、換気扇本体外側へ向かう突起はフランジの立ち上がり部に形成されている係合孔に入り難いために組立が行い難いという課題があった。また、係合孔からフランジ背面に塵埃などが侵入するおそれがあるといった課題があった。
【０００５】
本発明は、上述のような課題を解決するためになされたものであって、フランジ背面に取り付けられる部品の突起をフランジの立ち上がり部の係合孔に容易に挿入することができ、塵埃の侵入を抑制することができる換気扇を提供することを目的とする。
【課題を解決するための手段】
【０００６】
本発明に係る換気扇は、両端が開口した筒状の風洞と、前記風洞の前面側開口の外周から半径方向に張り出すフランジ部と、前記フランジ部の背面側の面に配置され、外方に突出する第１突起を有する部品と、前記第１突起を嵌め合い可能な係合孔を有し、前記フランジ部の外周から背面側に向かって起立する立ち上がり部と、前記立ち上がり部の内面に、前記係合孔の両側から前記立ち上がり部の端面に向かって延びる一対の案内リブとを備えたものである。
【発明の効果】
【０００７】
本発明によれば、立ち上がり部の内面に、係合孔の両側から立ち上がり部の端面に向かって延びる一対の案内リブが設けられているため、係合孔に第１突起が挿入されるときに、位置ずれが発生することが抑制され、フランジ部の背面への部品の取り付けが容易となる。また、本発明によれば、立ち上がり部が、第１突起を嵌め合い可能な係合孔を有しているため、換気扇内部への塵埃の侵入が抑制される。
【図面の簡単な説明】
【０００８】
【図１】本発明の実施の形態１に係る換気扇がパイプに取り付けられた状態を示す縦断面図である。
【図２】本発明の実施の形態１に係る換気扇の背面斜視図である。
【図３】本発明の実施の形態１に係る換気扇への端子台の取り付けを換気扇の外側から見た斜視図である。
【図４】本発明の実施の形態１に係る換気扇への端子台の取り付けを換気扇の内側から見た斜視図である。
【図５】本発明の実施の形態１に係る換気扇への下ケースの取り付けを換気扇の外側から見た斜視図である。
【図６】本発明の実施の形態１に係る換気扇への下ケースの取り付けを換気扇の内側から見た斜視図である。
【図７】本発明の実施の形態１に係る換気扇に下ケースが取り付けられた状態を示す側面図である。
【図８】図７のＡ−Ａ断面図である。
【図９】図８の部分拡大図である。
【図１０】本発明の実施の形態１に係る換気扇を外側から見た状態を示す斜視図である。
【図１１】本発明の実施の形態１に係る換気扇に下ケースが取り付けられた状態を示す縦断面図である。
【発明を実施するための形態】
【０００９】
図１は、本発明の実施の形態１に係る換気扇１００がパイプ１に取り付けられた状態を示す縦断面図である。図２は、本発明の実施の形態１に係る換気扇１００の背面斜視図である。以下、換気扇１００における室内側（図１中の紙面左側）の面を前面又は正面と称し、換気扇１００における室外側（図１中の紙面右側）の面を後面又は背面と称することがある。
【００１０】
図１，図２に示されるように、換気扇１００は、本体６と、化粧グリル７とを備え、例えば室内外を連通させるパイプ１やダクトに室内側から挿入されて装着されるものである。本体６は、樹脂製の本体フレーム３と、送風機４と、電動機取付構造１１とを備えている。
【００１１】
本体フレーム３は、パイプ１等に挿入される円筒状の風洞３ａを備える。本体フレーム３は、風洞３ａの前部の吸込口となるベルマウス形状の開口部８の口縁部に前面構造が一体に形成されている。前面構造は、風洞３ａの室内側開口の外周に半径方向に張出す略正方形（丸形でも良い）のフランジ部１９と、フランジ部１９の周辺の端縁から背面側に向かって起立する立ち上がり部２０とを備えている。立ち上がり部２０は、立ち上がり部端面２０ａを有し、立ち上がり部端面２０ａが室内側の壁面に当接する。
【００１２】
送風機４は、羽根車４ａと、電動機４ｂと、回転軸４ｃとを備え、本体フレーム３に取り付けられている。羽根車４ａは、例えばプロペラ式のものであり、回転軸４ｃが回転されることで回転する。送風機４は、本体フレーム３の風洞３ａの室外側に設けられた電動機取付構造１１に取り付けられている。回転軸４ｃは、電動機４ｂの風洞３ａ内の中心線上に延出して羽根車４ａが装着され、風洞３ａに内包される形態になっている。
【００１３】
電動機取付構造１１は、四本の脚部１１ａと、橋絡部１１ｂと、電動機カバー１１ｃと、板バネ１１ｄとを備えている。四本の脚部１１ａは、周方向に間隔をおいて風洞３ａの中心線方向に沿って背後に延出し、いずれも風洞３ａの外周より内側に設けられている。橋絡部１１ｂは、各脚部１１ａの端部から半径方向内側に延びている。電動機カバー１１ｃは、橋絡部１１ｂの本体フレーム３の内側の端部においてネジ締め固定されることで、風洞３ａの中心に支持され、電動機カバー１１ｃの前面部から風洞３ａの中心線上に回転軸４ｃが突き出される。板バネ１１ｄは、反り付きのバネであり、四本の脚部１１ａのうち一本の外側に設けられ、半径方向への拡開弾力により本体６をパイプ１内やダクト内に保持する。
【００１４】
化粧グリル７は、本体フレーム３の前面構造であるフランジ部１９及び立ち上がり部２０を被覆する内側構造となっており、爪嵌合により本体６に取り付けられる。
【００１５】
フランジ部１９の背面側には、閉端接続子等の電気接続部品が収納されており、本実施の形態１では、図２に示されるように、スイッチ導体部やリード線結線部への接触防止のための結線部保護カバー１７と、電源の入・切を切り替える操作部が換気扇１００の外壁から露出している電源入・切スイッチ１８と、回転式構造で容易に外部電源電線を接続可能な端子台３０と、端子台３０が回動することで端子台３０を収納する下ケース４０とが設けられている。結線部保護カバー１７は、使用時にフランジ部１９に向かって突出する抜け止めリブ１７ａを有している（後述する図８）。端子台３０は、電源線接続端子３０ａを備え、電動機４ｂと電気的に接続されて繋がっており、フランジ部１９の背面に形成されている凹部１９ａの一隅に収まるように収納されている。
【００１６】
図３は、本発明の実施の形態１に係る換気扇１００への端子台の取り付けを換気扇１００の外側から見た斜視図である。図４は、本発明の実施の形態１に係る換気扇１００への端子台３０の取り付けを換気扇１００の内側から見た斜視図である。
【００１７】
図３に示されるように、立ち上がり部２０には係合孔２１ａが形成され、端子台３０には、端子台３０の外周面から外方に突出する円筒状の軸状支持部３１が設けられ、係合孔２１ａに軸状支持部３１が挿入されるようになっている。係合孔２１ａは、フランジ部１９の前面部から所定の距離だけフランジ部１９の背面側に形成され、軸状支持部３１が嵌め込まれる程度の大きさとなっており、塵埃などの侵入を極力防ぐ構造となっている。
【００１８】
図４に示されるように、係合孔２１ａよりも下部におけるフランジ立ち上がり部２０には、係合孔２１ａよりも上部におけるフランジ立ち上がり部２０よりも換気扇１００の内部側に位置するように段形状２０ｂが形成されている。
【００１９】
図４に示されるように、立ち上がり部２０の内面側には、立ち上がり部２０の面から突出する一対の部品組立案内リブ２１ｂが、係合孔２１ａの両側から立ち上がり部端面２０ａに向かって設けられている。一対の部品組立案内リブ２１ｂは、軸状支持部３１の直径と略同一の距離だけ離れている。このように、部品組立案内リブ２１ｂが一対設けられているため、端子台３０がフランジ部１９へ取り付けられるとき、軸状支持部３１が２つの部品組立案内リブ２１ｂの中間を通る。したがって、軸状支持部３１が左右にずれることが抑制されて係合孔２１ａに向かって挿入され、端子台３０の組立が容易となる。
【００２０】
図４に示されるように、フランジ部１９の背面には円弧状の支持爪２２ａが設けられ、端子台３０の軸状支持部３１が設けられている面の反対側の面には、端子台３０の外周面から外方に突出する円筒状の円筒状支持部３２が設けられ、円筒状支持部３２が支持爪２２ａに嵌め込まれるようになっている。
【００２１】
このように、端子台３０は円筒状の軸状支持部３１及び円筒状の円筒状支持部３２により本体フレーム３に対して回動可能に軸支される。結線作業を行う際には端子台３０を起立させた状態とし、結線作業が終了すると端子台３０を倒伏状態とする。
【００２２】
図５は、本発明の実施の形態１に係る換気扇１００への下ケース４０の取り付けを換気扇１００の外側から見た斜視図である。図６は、本発明の実施の形態１に係る換気扇１００への下ケース４０の取り付けを換気扇１００の内側から見た斜視図である。図７は、本発明の実施の形態１に係る換気扇１００に下ケース４０が取り付けられた状態を示す側面図である。図８は、図７のＡ−Ａ断面図である。図９は、図８の部分拡大図である。
【００２３】
前述のように、端子台３０は、円筒状の軸である軸状支持部３１及び円筒状の円筒状支持部３２を備えることで回動可能とし、結線作業を容易にしている。一方で、端子台３０を保護する下ケース４０のように回動可能であることを要しない部品については、以下に説明するように、例えば、下ケース４０の外周面から外方に突出する平板状の突起４３ａ，４４ａを介して本体フレーム３に取り付けられる。
【００２４】
図５，図６に示されるように、立ち上がり部２０には係合孔２３ａが形成され、下ケース４０には突起４３ａが設けられ、係合孔２３ａに突起４３ａが挿入されるようになっている。係合孔２３ａに突起４３ａが挿入されたときの係合孔２３ａと突起４３ａとの位置関係は図７，図８のようになる。
【００２５】
図６に示されるように、係合孔２３ａよりも下部におけるフランジ立ち上がり部２０は、係合孔２３ａよりも上部におけるフランジ立ち上がり部２０よりも換気扇１００の内部側に位置するように段形状２０ｃが形成されている。
【００２６】
図６に示されるように、立ち上がり部２０の内面側には、立ち上がり部２０の面から突出する一対の部品組立案内リブ２３ｂが、係合孔２３ａの両側から立ち上がり部端面２０ａに向かって設けられている。一対の部品組立案内リブ２３ｂは、突起４３ａの幅と略同一の距離だけ離れている。このように、部品組立案内リブ２３ｂが一対設けられているため、下ケース４０がフランジ部１９へ取り付けられるとき、突起４３ａが２つの部品組立案内リブ２３ｂの中間を通る。したがって、突起４３ａが左右にずれることが抑制されて係合孔２３ａに向かって挿入され、下ケース４０の組立が容易となる。
【００２７】
図９に示されるように、立ち上がり部２０の内面のうち一対の部品組立案内リブ２３ｂの間には、立ち上がり部端面２０ａから立ち上がり部２０の基端部に向かってフランジ部１９の内部側に傾斜する傾斜面２３ｃが形成されている。このため、立ち上がり部端面２０ａから係合孔２３ａに向かって立ち上がり部２０内の内幅が狭くなっている。したがって、下ケース４０の突起４３ａを係合孔２３ａに挿入する際に、傾斜面２３ｃに沿って突起４３ａを押し込むことで、突起４３ａを係合孔２３ａに容易に挿入することができる。
【００２８】
図５，図６に示されるように、フランジ部１９の背面には凹状の固定形状２４ａが形成され、下ケース４０には突起４４ａが設けられ、固定形状２４ａに突起４４ａが挿入されるようになっている。固定形状２４ａに突起４４ａが挿入されたときの固定形状２４ａと突起４４ａとの位置関係は図８のようになる。
【００２９】
図８に示されるように、突起４３ａ，４４ａは、先端部の角部形状４３ｂ，４４ｂがＲ形状となっている。このように構成すれば、突起４３ａの係合孔２３ａへの挿入や突起４４ａの固定形状２４ａへの挿入がより容易になる。なお、角部形状４３ｂ，４４ｂはＲ形状でなくともよく、面取形状であってもよい。
【００３０】
図９に示されるように、係合孔２３ａの上面は略水平になるように引掛面２３ｄが形成され、突起４３ａの上面は略水平になるように引掛面４３ｃが形成され、引掛面２３ｄと引掛面４３ｃとは略平行になっている。このため、係合孔２３ａと突起４３ａとの係合状態の解除が抑制される。
【００３１】
このようにして、端子台３０の円筒状支持部３２や下ケース４０の突起４４ａは、それぞれ支持爪２２ａや固定形状２４ａのような落し込み形状を設けた箇所に挿入負荷をかけることなく挿入可能となる。支持爪２２ａに円筒状支持部３２が嵌め込まれ、固定形状２４ａに突起４４ａが嵌め込まれた状態で、図８に示されるように、突起４４ａの上部は、結線部保護カバー１７で覆われ、突起４４ａの上部に抜け止めリブ１７ａが位置する。なお、図示しないが、突起４４ａの上部が結線部保護カバー１７で覆われているとき、円筒状支持部３２の上部も同様に結線部保護カバー１７で覆われ、円筒状支持部３２の上部に抜け止めリブ１７ａが位置している。このように、結線部保護カバー１７は円筒状支持部３２及び突起４４ａの抜け止めとして機能する（図２）。なお、結線部保護カバー１７は、円筒状支持部３２及び突起４４ａの上部を覆うものの一例として挙げたものであり、これに限定されず、抜け止めとして機能する部材を適宜採用できる。
【００３２】
なお、部品組立案内リブ２１ｂ，２３ｂが、本発明における案内リブに相当する。
また、軸状支持部３１、突起４３ａが、本発明における第１突起に相当する。
また、円筒状支持部３２，突起４４ａが、本発明における第２突起に相当する。
また、下ケース４０が、本発明におけるケースに相当する。
また、引掛支持爪２２ｂ、引掛固定形状２４ｂが、本発明における嵌め込み部に相当する。
【００３３】
以上のように、本実施の形態１に係る換気扇１００は、軸状支持部３１が挿入される係合孔２１ａが形成され、突起４３ａが挿入される係合孔２３ａが立ち上がり部２０に形成される構成となっている。このため、ネジなどの工具を用いることなく、例えば端子台３０や下ケース４０のような部品をフランジ部１９の背面に取り付けることができる。したがって、収納する空間が狭い換気扇１００であっても、その狭い空間を最大限に活用することができる。
【００３４】
また、本実施の形態１に係る換気扇１００は、係合孔２１ａは、軸状支持部３１が嵌め合い可能な大きさで形成され、係合孔２３ａは、突起４３ａが嵌め合い可能な大きさで形成されているため、換気扇１００内部への塵埃の侵入が抑制される。
【００３５】
また、本実施の形態１に係る換気扇１００は、係合孔２１ａ，２３ａの両側から立ち上がり部端面２０ａに向かって設けられ、立ち上がり部２０の面から突出する一対の部品組立案内リブ２１ｂ，２３ｂが設けられている。このため、軸状支持部３１を係合孔２１ａに挿入するときや、突起４３ａを係合孔２３ａに挿入するときに、位置ずれの発生が抑制され、フランジ部１９の背面への端子台３０の取り付けが容易となる。
【００３６】
また、本実施の形態１に係る換気扇１００は、係合孔２１ａよりも下部におけるフランジ立ち上がり部２０は、係合孔２１ａよりも上部におけるフランジ立ち上がり部２０よりも換気扇１００の内部側に位置するように段形状が形成されている。また、係合孔２３ａよりも下部におけるフランジ立ち上がり部２０は、係合孔２３ａよりも上部におけるフランジ立ち上がり部２０よりも換気扇１００の内部側に位置するように段形状が形成されている。このため、金型でスライド機構などを設けることなく成形できる。
【００３７】
また、本実施の形態１に係る換気扇１００は、一対の部品組立案内リブ２３ｂの間に設けられ、立ち上がり部２０からフランジ部１９の背面に向かって内幅が徐々に狭くなるように傾斜面２３ｃが形成されている。このため、突起４３ａの係合孔２３ａへの挿入が容易となる。
【００３８】
また、本実施の形態１に係る換気扇１００は、支持爪２２ａに円筒状支持部３２が嵌め込まれ、固定形状２４ａに突起４４ａが嵌め込まれ、円筒状支持部３２及び突起４４ａは結線部保護カバー１７により覆われる構成となっている。このため、結線部保護カバー１７は、端子台３０及び下ケース４０の抜け止めとして機能する。
【００３９】
また、本実施の形態１では、円筒状支持部３２，突起４４ａの抜け止めとして結線部保護カバー１７を用いることを説明したが、これに限定されない。
例えば、図１０に示されるように、立ち上がり部２０の支持爪２２ａに代えて、円筒状支持部３２の外周の半周より多い範囲を囲むように設けられた引掛支持爪２２ｂを設け、引掛支持爪２２ｂに円筒状支持部３２が嵌め込まれるように構成してもよい。このように構成すれば、引掛支持爪２２ｂは、端子台３０の円筒状支持部３２の抜け止めとして機能する。
また、図１０，図１１に示されるように、フランジ部１９に設けられた固定形状２４ａの上部に、固定形状２４ａの底面と平行にこの底面よりも上方に設けられ、突起４４ａが嵌め込まれると突起４４ａの上面と当接する引掛固定形状２４ｂを設けてもよい。このように構成すれば、引掛固定形状２４ｂは、下ケース４０の抜け止めとして機能する。
また、図１１に示されるように、引掛固定形状２４ｂの下面が略水平になるように引掛面２４ｄを形成し、突起４４ａの上面が略水平になるように引掛面４４ｃを形成し、引掛面２４ｄと引掛面４４ｃとが略平行になるように構成してもよい。このように構成すれば、引掛面２４ｄ，４４ｃは、下ケース４０の抜け止めとして機能する。
また、図１１に示されるように、引掛固定形状２４ｂの挿入側の面が面取形状２４ｃとなるように形成されるように構成してもよい。このように構成すれば、突起４４ａが固定形状２４ａに容易に挿入される。
【００４０】
実施の形態で説明した端子台や下ケース等の部品を換気扇に取り付ける取付構造は、送風機や空気調和機、それらに関するシステム部材にも利用できることは言うまでもない。
【符号の説明】
【００４１】
１  パイプ、３  本体フレーム、３ａ  風洞、４  送風機、４ａ  羽根車、４ｂ  電動機、４ｃ  回転軸、６  本体、７  化粧グリル、８  開口部、１１  電動機取付構造、１１ａ  脚部、１１ｂ  橋絡部、１１ｃ  電動機カバー、１１ｄ  板バネ、１７  結線部保護カバー、１７ａ  抜け止めリブ、１８  電源入・切スイッチ、１９  フランジ部、１９ａ  凹部、２０  立ち上がり部、２０ａ  立ち上がり部端面、２０ｂ，２０ｃ  段形状、２１ａ  係合孔、２１ｂ  部品組立案内リブ、２２ａ  支持爪、２２ｂ  引掛支持爪、２３ａ  係合孔、２３ｂ  部品組立案内リブ、２３ｃ  傾斜面、２３ｄ  引掛面、２４ａ  固定形状、２４ｂ  引掛固定形状、２４ｃ  面取形状、２４ｄ  引掛面、３０  端子台、３０ａ  電源線接続端子、３１  軸状支持部、３２  円筒状支持部、４０  下ケース、４３ａ  突起、４３ｂ  角部形状、４３ｃ  引掛面、４４ａ  突起、４４ｂ  角部形状、４４ｃ  引掛面、１００  換気扇。
【図１】
2014016051.tif 000003
【図２】
2014016051.tif 000004
【図３】
2014016051.tif 000005
【図４】
2014016051.tif 000006
【図５】
2014016051.tif 000007
【図６】
2014016051.tif 000008
【図７】
2014016051.tif 000009
【図８】
2014016051.tif 000010
【図９】
2014016051.tif 000011
【図１０】
2014016051.tif 000012
【図１１】
2014016051.tif 000013